(57)【要約】【課題】温風を放出することによって室内を暖房することに加え、前面パネルを直接触れて採暖することが可能な暖房機、及び空気調和機を提供する。【解決手段】空気調和機の室内機１０は、熱源（室内熱交換器１６）と熱源によって暖められた利用流体を送り出す送風機（室内送風機１７）と、送風機の流体送出側に配置され、室内機１０によって暖められる対象物との接触面を構成するパネル（前面パネル１２）と、を備える。パネル（前面パネル１２）には、対象物との接触面の少なくとも一部から利用流体を外部へ送り出す送出口（送出孔１２ａ）が設けられている。それに加え、パネル（前面パネル１２）は、送風機から送り出された利用流体によって暖められる。これにより、対象物との接触面は、対象物を接触させて暖めることができる。【選択図】図２
2016099030.tif 000002
【特許請求の範囲】
【請求項１】
熱源を備える暖房機であって、
前記熱源によって暖められた利用流体を送り出す送風機と、
前記送風機の流体送出側に配置され、該暖房機によって暖められる対象物との接触面を構成するパネルと、を備え、
前記パネルは、前記接触面の少なくとも一部から前記利用流体を外部へ送り出す送出口を有しているとともに、前記送風機から送り出された前記利用流体によって暖められる、暖房機。
【請求項２】
前記パネルの下部には、前記熱源によって暖められた前記利用流体を外部へ放出する吹出し口がさらに備えられている、請求項１に記載の暖房機。
【請求項３】
前記送出口から送り出される前記利用流体の流量と、前記吹出し口から放出される前記利用流体の流量とを調整する流量調整部をさらに備えている、請求項２に記載の暖房機。
【請求項４】
前記送出口から送り出される前記利用流体の風速は、前記吹出し口から送り出される前記利用流体の風速よりも低い、請求項２または３に記載の暖房機。
【請求項５】
前記送出口は、前記パネルの前記接触面上に設けられた複数の穴である、請求項１から４の何れか１項に記載の暖房機。
【請求項６】
前記パネルの周囲には、外枠部がさらに備えられており、
前記外枠部の前側表面は、前記パネルの前記接触面に対して、突出するように配置されており、
前記送出口は、前記パネルの外周部であって、前記パネルと前記外枠部との間に設けられている、請求項１から５の何れか１項に記載の暖房機。
【請求項７】
前記パネルよりも上方側に配置され、前記利用流体が外部へ放出される上部吹出し口と、
前記上部吹出し口から放出される前記利用流体の流量を調整する第２の流量調整部と、  をさらに備えている、請求項１から６の何れか１項に記載の暖房機。
【請求項８】
請求項１から７の何れか１項に記載の暖房機を備えている空気調和機であって、
前記暖房機として、暖房運転時には凝縮器として機能するとともに、冷房運転時には蒸発器として機能する室内側熱交換器と、暖房運転時には蒸発器として機能するとともに、冷房運転時には凝縮器として機能する室外側熱交換器と、熱媒体を圧縮する圧縮器と、熱媒体を減圧する膨張弁と、を備え、
暖房運転時における前記室内側熱交換器が、前記熱源となっている、空気調和機。
【発明の詳細な説明】
【技術分野】
【０００１】
本発明は、ヒートポンプ、燃料の燃焼、電熱などを熱源とする暖房機、及び、ヒートポンプを用いて暖房運転または冷房運転を行う空気調和機に関する。
【背景技術】
【０００２】
寒冷時に室内の空気を暖める暖房機には、電気ストーブのように電熱を利用したもの、石油ファンヒーターのように燃料を燃焼させて発生した熱を利用したもの、あるいは、ガスや灯油などを燃焼させることによって発生したエネルギーで温められた温水を利用したものなどが存在する。さらには、気体の圧縮と膨張、及び、熱交換を組み合わせたヒートポンプ方式を利用した空気調和機能を用いた暖房機も存在する。
【０００３】
特許文献１には、室外機で加熱された温水を熱源とする温水暖房機が開示されている。特許文献１に開示された温水暖房機（特許文献１の図１参照）は、床置き式の室内機を備え、該室内機の下部付近から床面へ向けて床面とほぼ平行に温風を吹き出している。これに加え、特許文献１に開示された温水暖房機の室内機には、前面パネルに設けられた多数の放射孔から輻射熱及び温風を放出する機能が備えられている。
【０００４】
具体的には、特許文献１に開示された温水暖房機の室内機は、前面パネル２とその裏面に設置された放射板９とを備えている（特許文献１の図１参照）。そして、特許文献１の室内機では、室外機２０で温められた温水が通る加熱管１０を放射板９に接触させて配置し、放射板９を温める構造になっている。前面パネル２には、複数の放射孔２ａが設けられており、温められた放射板９から出される遠赤外線が放射孔２ａから前面に向けて放射され、温水暖房機の周辺にいる人が暖を採れるようになっている。
【０００５】
これに加え、特許文献１の室内機には、室外機２０で温められた温水が供給される温水供給チューブ１１に接続された放熱器７と、放熱器７の下流側に配置された送風ファン８とが備えられている。そして、特許文献１の図１に示す室内機の前面の下部には、放熱器７で温められた気体が送風ファン８によって温風として吹き出される吹出口６が設けられている。この構成により、特許文献１の図１に示す室内機においては、放射板９からの輻射熱が前面パネル２から放出され、放熱器７からの温風が吹出口６から床面付近に放出される。
【０００６】
また、特許文献１の図２には、別の形態の室内機が開示されている。この室内機では、放熱板が前面パネル２に対して傾斜して配置されており、放射板１８と仕切板１７との間に送風ファン８から送出された温風が流入する流入孔１７ａが設けられている。そして、流入孔１７ａを通過した温風は、放射板１８の周縁を介して前面パネル２の放射孔２ａから微温風として、機外へ放出される。すなわち、特許文献１の図２に示す室内機においては、放射板１８からの輻射熱が前面パネル２から放出されるとともに、放熱器７からの温風が微温風として、放射孔２ａから放出される。
【先行技術文献】
【特許文献】
【０００７】
【特許文献１】特開２００４−１７６９９５号公報
【発明の概要】
【発明が解決しようとする課題】
【０００８】
上述のように、特許文献１に示す温水暖房機では、前面パネル２に設けられた放射孔２ａは、前面パネル２から離間して配置された放射板１８からの熱を輻射熱として機外へ放出する機能を有している。これに加え、特許文献１の図２に示す室内機では、放射孔２ａは、送風ファン８からの温風を微温風として放出する機能も有している。なお、特許文献１に示す温水暖房機においては、放射孔２ａから微温風を放出する場合には、前面パネル２の下部に設けられた吹出口６から温風が放出されることはない。
【０００９】
また、特許文献１の温水暖房機においては、放射板９の裏面に、約６０℃前後の加熱管１０を接触させて放射板９に熱を伝えている。このように、加熱管１０の温度が比較的高いため、放射板９に人が触ると低温やけどを起こす可能性がある。そのため、放射板９とは一定の距離を開けて前面パネル２が設けられている。つまり、特許文献１の温水暖房機には、前面パネル２に人が直接触れて低温やけどをする危険性を回避するために、前面パネル２の裏面に放射板９が別途設けられている。そのため、室内機の構造の複雑化や、室内機の奥行き寸法の増大化、さらには、室内機の製造に必要な原材料費の上昇にもつながる。また、特許文献１の温水暖房機においては、前面パネル２は、放射孔２ａを介して輻射熱及び温風を放出させるためのものであり、人が直接触って採暖することは考慮されていない。
【００１０】
そこで、本発明では、温風を放出することによって室内を暖房することに加え、前面パネルを直接触れて採暖することが可能な暖房機、及び空気調和機を提供することを目的とする。
【課題を解決するための手段】
【００１１】
本発明の第一局面にかかる暖房機は、熱源を備える暖房機であって、前記熱源によって暖められた利用流体を送り出す送風機と、前記送風機の流体送出側に配置され、該暖房機によって暖められる対象物との接触面を構成するパネルと、を備える。前記暖房機において、前記パネルは、前記接触面の少なくとも一部から前記利用流体を外部へ送り出す送出口を有しているとともに、前記送風機から送り出された前記利用流体によって暖められる。
【００１２】
前記暖房機において、前記パネルの下部には、前記熱源によって暖められた利用流体を外部へ放出する吹出し口がさらに備えられていてもよい。
【００１３】
前記暖房機は、前記送出口から送り出される前記利用流体の流量と、前記吹出し口から放出される前記利用流体の流量とを調整する流量調整部をさらに備えていてもよい。
【００１４】
前記暖房機において、前記送出口から送り出される前記利用流体の風速は、前記吹出し口から送り出される前記利用流体の風速よりも低くてもよい。
前記暖房機において、前記送出口は、前記パネルの前記接触面上に設けられた複数の穴であってもよい。
【００１５】
前記暖房機において、前記パネルの周囲には、外枠部がさらに備えられており、前記外枠部の前側表面は、前記パネルの前記接触面に対して、突出するように配置されており、前記送出口は、前記パネルの外周部であって、前記パネルと前記外枠部との間に設けられていてもよい。
【００１６】
前記暖房機は、前記パネルよりも上方側に配置され、前記利用流体が外部へ放出される上部吹出し口と、前記上部吹出し口から放出される前記利用流体の流量を調整する第２の流量調整部と、をさらに備えていてもよい。
【００１７】
本発明の第二局面にかかる空気調和機は、上記の何れかの構成の暖房機を備えている空気調和機である。本空気調和機は、暖房運転時には凝縮器として機能するとともに、冷房運転時には蒸発器として機能する室内側熱交換器と、暖房運転時には蒸発器として機能するとともに、冷房運転時には凝縮器として機能する室外側熱交換器と、熱媒体を圧縮する圧縮器と、熱媒体を減圧する膨張器とを、上述した暖房機として備えている。そして、本空気調和機においては、暖房運転時における前記室内側熱交換器が、前記熱源となっている。
【発明の効果】
【００１８】
本発明によれば、温風を放出することによって室内を暖房することに加え、前面パネルを直接触れて採暖することが可能な暖房機、及び空気調和機を提供することができる。
【図面の簡単な説明】
【００１９】
【図１】本発明の一実施の形態にかかる空気調和機を構成する室内機の外観を示す斜視図である。
【図２】図１に示す室内機の内部の構成を示す断面斜視図である。
【図３】本発明の一実施の形態にかかる空気調和機の概略構成を示す模式図である。
【図４】図１に示す室内機において、暖房運転時の温風は床面吹出し口および前面パネルから、冷房運転時の冷風は上部吹出し口から吹き出す場合の、風の吹き出し位置と方向を示した図である。
【図５】図１に示す室内機において、暖房運転時の温風は床面吹出し口および前面パネルから、冷房運転時の冷風は床面吹出し口から吹き出す場合の、風の吹き出し位置と方向を示した図である。
【図６】図１に示す室内機において、暖房運転時の温風は床面吹出し口および前面パネルから、冷房運転時の冷風は上部吹出し口および前面パネルから吹き出す場合の、風の吹き出し位置と方向を示した図である。
【図７】図１に示す室内機において、暖房運転時の温風および冷房運転時の冷風がともに、床面吹出し口および前面パネルから吹き出す場合の、風の吹き出し位置と方向を示した図である。
【図８】暖房機能のみを有する空気調和機の場合であって、暖房運転時の温風が床面吹出し部および前面パネルから吹き出す場合の、風の吹き出し位置と方向を示した図である。
【図９】暖房機能のみを有する空気調和機の場合であって、暖房運転時の温風が前面パネルのみから吹き出す場合を示した図である。
【図１０】図１に示す室内機において、流路切り替え部（流量調整部）および流路開閉部（第２の流量調整部）の動作状態を場合分けして示す図である。
【図１１】流路切り替え部を用いて、床面吹出し口と前面パネルとの流量比率を制御する方法を示した図である。（ａ）は、前面パネルと比較して床面吹出し口の方が多くの温風を吹き出す場合を示す、（ｂ）は、床面吹出し口と比較して前面パネルの方が多くの温風を吹き出す場合を示す。
【図１２】本発明の第２の実施形態にかかる空気調和機を構成する室内機を示す図であって、（ａ）は、室内機の外観を示す斜視図であり、（ｂ）は、（ａ）に示す室内機の前面部周辺の断面の概略構成を示す断面図である。
【図１３】本発明の第３の実施形態にかかる暖房機の構成を示す断面図である。
【図１４】本発明の他の形態にかかるハイブリッド空気調和機の構成を示すブロック図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施形態＞
【００２１】
第１の実施形態では、本発明の空気調和機の一例として、ヒートポンプを用いた空気調和機を挙げて説明する。図１は、本実施の形態にかかる空気調和機を構成する室内機１０の外観を示す。図２は、室内機１０の内部構成を示す。図３は、室内機１０を備える空気調和機１の全体構成を示す。なお、本第１の実施形態にかかる空気調和機１は、暖房運転と冷房運転の両方を行うことが可能であるが、特に暖房運転を行う場合には、本発明の暖房機の一例にも相当する。
＜空気調和機の全体構成＞
【００２２】
先ず、本実施の形態にかかる空気調和機１の全体構成と基本的な動作の概要について、図３を用いて説明する。図３では、空気調和機１の暖房運転時の冷媒（熱媒体）の流れを実線の矢印で示し、空気調和機１の冷房運転時の冷媒（熱媒体）の流れを破線の矢印で示している。
【００２３】
図３に示すように、本実施の形態にかかる空気調和機１は、セパレート式の空気調和機であって、主に、室内機１０と室外機５０とから構成されている。なお、空気調和機１は、室内機１０と室外機５０とが冷媒配管５７（細管）および冷媒配管５８(太管)を介して接続されることによって構成されている。以下、室外機５０、室内機１０、冷媒配管５７および５８について詳述する。
【００２４】
（１）室外機
室外機５０は、主に、筐体５１、圧縮機５２、四路切換弁５３、室外熱側交換器５４、膨張弁５５、室外送風機５６、冷媒配管５７、冷媒配管５８、二方弁５９、および三方弁６０から構成されている。なお、この室外機５０は、屋外に設置されている。
【００２５】
筐体５１には、圧縮機５２、四路切換弁５３、室外側熱交換器５４、膨張弁５５、室外送風機５６、二方弁５９、および三方弁６０等が収納されている。
【００２６】
圧縮機５２は、吐出管５２ａおよび吸入管５２ｂを有している。吐出管５２ａおよび吸入管５２ｂは、それぞれ、四路切換弁５３の異なる接続口に接続されている。圧縮機５２は、運転時、吸入管５２ｂから低圧の冷媒ガスを吸入し、その冷媒ガスを圧縮して高圧の冷媒ガスを生成した後、その高圧の冷媒ガスを吐出管５２ａから吐出する。なお、本実施の形態において、この圧縮機５２の制御形式は、特に限定されず、定速式の圧縮機であってもよいし、インバータ式の圧縮機であってもよい。
【００２７】
四路切換弁５３は、冷媒配管を介して圧縮機５２の吐出管５２ａおよび吸入管５２ｂ、室外側熱交換器５４ならびに室内側熱交換器１６に接続されている。四路切換弁５３は、運転時、空気調和機１の制御部（図示せず）から送信される制御信号に従って、圧縮機５２の吐出管５２ａを室内側熱交換器１６に連結させると共に圧縮機５２の吸入管５２ｂを室外側熱交換器５４に連結させる暖房運転状態（図３の実線矢印参照）と、圧縮機５２の吐出管５２ａを室外側熱交換器５４に連結させると共に圧縮機５２の吸入管５２ｂを室内側熱交換器１６に連結させる冷房運転状態（図３の破線矢印参照）とを切り換える。
【００２８】
室外側熱交換器５４は、左右両端で複数回折り返された伝熱管（図示せず）に多数の放熱フィン（図示せず）が取り付けられたもの（フィンアンドチューブ型熱交換器）であって、暖房運転時には蒸発器として機能し、冷房運転時には凝縮器として機能する。なお、熱交換器としてパラレルフロー型熱交換器やサーペン型熱交換器を用いてもよい。
【００２９】
膨張弁５５は、後述するステッピングモータを介して開度制御が可能な電子膨張弁であって、一方が冷媒配管を介して二方弁５９に接続されると共に、他方が室外側熱交換器５４に接続されている。膨張弁５５のステッピングモータは、空気調和機１の制御部（図示せず）から送信される制御信号に従って動作する。膨張弁５５は、運転時において、凝縮器（暖房時は室内側熱交換器１６であり、冷房時は室外側熱交換器５４である）から流出する高温高圧の液冷媒を蒸発しやすい状態に減圧すると共に、蒸発器（暖房時は室外側熱交換器５４であり、冷房時は室内側熱交換器１６である）への冷媒供給量を調節する役目を担っている。
【００３０】
室外送風機５６は、主に、プロペラファンおよびモータから構成されている。プロペラファンは、モータによって回転駆動され、屋外の外気を室外側熱交換器５４に供給する。モータは、空気調和機１の制御部（図示せず）から送信される制御信号に従って動作する。
【００３１】
二方弁５９は、冷媒配管５７に連結される。なお、二方弁５９は、室外機５０から冷媒配管５７が取り外されるときに閉じられ、冷媒が室外機５０から外部に漏れることを防ぐ。
【００３２】
三方弁６０は、冷媒配管５８に連結される。なお、三方弁６０は、室外機５０から冷媒配管５８が取り外されるときに閉じられ、冷媒が室外機５０から外部に漏れることを防ぐ。また、室外機５０から、あるいは室内機１０を含めた冷凍サイクル全体から、冷媒を回収する必要があるときは、三方弁６０を通じて冷媒の回収が行われる。
【００３３】
（２）室内機
室内機１０は、主に、筐体１１、室内側熱交換器１６、および室内送風機１７から構成されている。なお、本実施の形態においては、室内機１０は、室内の床面上に設置されている。但し、本発明の空気調和機では、床置き式の室内機には必ずしも限定されない。本発明の空気調和機の室内機は、床面に近い位置の比較的低所に設置される壁掛式空気調和機であってもよい。
【００３４】
筐体１１には、室内側熱交換器１６、室内送風機１７、および制御部（図示せず）等が収納されている。
【００３５】
室内側熱交換器１６は、３個の熱交換器１６ａ、１６ｂ、１６ｃを、室内送風機１７を覆う屋根のように組み合わせたものである。なお、各熱交換器１６ａ、１６ｂ、１６ｃは、左右両端で複数回折り返された伝熱管（図示せず）に多数の放熱フィン（図示せず）が取り付けられたもの（フィンアンドチューブ型熱交換器）であって、暖房運転時には凝縮器として機能し、冷房運転時には蒸発器として機能する。なお、熱交換器としてパラレルフロー型熱交換器やサーペン型熱交換器を用いてもよい。
【００３６】
室内送風機１７は、主に、クロスフローファンおよびモータから構成されている。クロスフローファンは、モータによって回転駆動され、室内の空気を筐体１１に吸い込んで室内側熱交換器１６に供給すると共に、室内側熱交換器１６で熱交換された空気を室内に送出する。
【００３７】
なお、室外機５０の圧縮機５２、四路切換弁５３、室外側熱交換器５４および膨張弁５５は、室外機５０内部で冷媒配管により連結されている。また、室内機１０の室内側熱交換器１６も室内機内部で冷媒配管に連結されている。室外機５０と室内機１６とは、冷媒配管５７，５８によって順次接続される。これにより、圧縮機５２、四路切換弁５３、室外側熱交換器５４、膨張弁５５、室内側熱交換器１６が冷媒配管により順次連結されて冷媒回路（冷凍サイクル）を構成している。
【００３８】
（３）冷媒配管
冷媒配管５７は、冷媒配管５８よりも細い管であって、運転時に液冷媒が流れる。冷媒配管５８は、冷媒配管５７よりも太い管であって、運転時にガス冷媒が流れる。なお、熱媒体（冷媒）としては、例えば、ＨＦＣ系のＲ４１０ＡやＲ３２等が用いられる。
【００３９】
＜空気調和機の基本的な動作＞
以下、本実施の形態にかかる空気調和機１の暖房運転、および冷房運転について詳述する。
【００４０】
（１）暖房運転
暖房運転では、四路切換弁５３が図３の実線で示される状態、すなわち、圧縮機５２の吐出管５２ａが室内側熱交換器１６に接続され、かつ、圧縮機５２の吸入管５２ｂが室外側熱交換器５４に接続された状態となる。また、このとき、二方弁５９および三方弁６０は開状態とされている。この状態で、圧縮機５２が起動されると、ガス冷媒が、圧縮機５２に吸入され、圧縮された後、四路切換弁５３および三方弁６０を経由して室内側熱交換器１６に供給され、室内空気を加熱すると共に凝縮されて液冷媒となる。
【００４１】
その後、この液冷媒は、二方弁５９を経由して膨張弁５５に送られ、減圧されて気液二相状態となる。気液二相状態の冷媒は、室外側熱交換器５４に送られて、室外側熱交換器５４において蒸発させられてガス冷媒となる。最後に、そのガス冷媒は、四路切換弁５３を経由して、再び、圧縮機５２に吸入される。
【００４２】
（２）冷房運転
冷房運転では、四路切換弁５３が図３の破線で示される状態、すなわち、圧縮機５２の吐出管５２ａが室外側熱交換器５４に接続され、かつ、圧縮機５２の吸入管５２ｂが室内側熱交換器１６に接続された状態となる。また、このとき、二方弁５９および三方弁６０は開状態とされている。この状態で、圧縮機５２が起動されると、ガス冷媒が、圧縮機５２に吸入され、圧縮された後、四路切換弁５３を経由して室外側熱交換器５４に送られ、室外側熱交換器５４において冷却され、液冷媒となる。その後、この液冷媒は、膨張弁５５に送られ、減圧されて気液二相状態となる。気液二相状態の冷媒は、二方弁５９を経由して室内側熱交換器１６に供給され、室内空気を冷却するとともに蒸発されてガス冷媒となる。最後に、そのガス冷媒は、三方弁６０および四路切換弁５３を経由して、再び、圧縮機５２に吸入される。
【００４３】
＜室内機のより具体的な構成＞
続いて、図１および図２を参照しながら、本実施の形態にかかる空気調和機１の室内機１０のより具体的な構成について説明する。
【００４４】
本実施の形態にかかる空気調和機１では、室内機１０は床置き式となっている。図１に示すように、室内機１０は、筐体１１によってその外形が形成されている。筐体１１は、主に、前面部１１ａ、側面部１１ｂ、上面部１１ｃ、背面部（図示せず）、底面部１１ｄ（図２参照）で構成されている。ここで、筐体１１の前面部１１ａとは、室内熱交換器（熱源）１６との間で熱交換が行われた利用流体が外部へ送出される送出口（本実施形態では、送出孔１２ａ）が設けられている面である。すなわち、前面部１１ａは、室内機１０を通常の使用時の状態で設置した場合に、空調を行う対象と主に面している側である。この前面部１１ａを基準として、その背面側に位置する面が背面部であり、前面部１１ａと背面部との間に位置し、筐体１１の側方を構成している面が側面部１１ｂである。また、上面部１１ｃは、室内機１０を通常の使用時の状態で設置した場合に上側に位置する面である。底面部１１ｄは、室内機１０を通常の使用時の状態で設置した場合に、床面（本実施形態の床置き式の空気調和機１では設置面）と対向する面である（図２参照）。
【００４５】
筐体１１の前面部１１ａには、前面パネル（パネル）１２が設置されている。前面パネル１２には、利用流体が送出される送出孔１２ａが複数形成されている。図１に示すように、送出孔１２ａは、前面パネル１２上に、小さな円形状（直径１０ｍｍほど）の穴の形態で、縦横に等間隔（約１０ｍｍ間隔）で複数個配列されている。但し、本発明においては、パネルに設けられた送出口の形状及び寸法は、これに限定はされない。また、前面パネル１２の表面（室内機１０の外側の面）は、空調を行う対象物（例えば、暖房機によって暖められる使用者の手、衣類など）との接触面となっている。
【００４６】
筐体１１の側面部１１ｂには、空気吸込み部１４が設けられている。空気吸込み部１４には、格子を設け、ユーザーが誤って手を入れないような構造にしている。空気調和機１の運転時に、利用流体である室内の空気は、この空気吸込み部１４を介して、筐体１１内に取り込まれ、室内機１０内に設けられた室内側熱交換器１６と熱交換される。
【００４７】
筐体１１の上面部１１ｃには、上部吹出し口１５が設けられている。空気調和機１の運転時に、室内機１０は、この上部吹出し口１５を介して、室内側熱交換器１６と熱交換された利用流体を室内機１０の鉛直上方向に送出することができる。なお、上部吹出し口１５に、風向変更板を設けることで、風向を変更できるようにしてもよい。
【００４８】
筐体１１の底面部１１ｄは、側面部１１ｂの下端部よりも高い位置に設けられており、底面部１１ｄと床面との間には、空間が形成されている（図２参照）。そして、筐体１１の底面部１１ｄには、床面吹出し口（吹出し口）１８が設けられている。このような構成により、空気調和機１の運転時に、室内機１０は、床面吹出し口１８を介して、室内側熱交換器１６と熱交換された利用流体を室内機１０が設置されている床面に沿うように送出することができる。
【００４９】
続いて、室内機１０の内部構成について、図２を参照して説明する。図２に示すように、室内機１０の筐体１１内には、室内側熱交換器１６および室内送風機１７が設けられている。本実施の形態では、図２に示すように、室内側熱交換器１６は、３個の熱交換器１６ａ、１６ｂ、１６ｃを、室内送風機１７を覆う屋根のように（逆Ｖ字型に）組み合わせて構成されている。但し、室内側熱交換器１６は、図２のような形状に限らず、例えば、室内機を薄型化したいときは板状の熱交換器を用いてもよい。また、室内送風機１７としては、クロスフローファンが用いられる。しかし、本発明はこれに限定はされず、目的に応じたファンを適宜使用することができる。
【００５０】
また、図２に示すように、室内機１０の内部には室内側熱交換器１６の上の部分に比較的広い空間が形成されている。つまり、室内機１０の内部は、筐体１１の側面部１１ｂの空気吸込み部１４が設けられている位置において、空間となっている。これにより、空気吸込み部１４から吸い込まれた外部の空気を、ヒートポンプサイクルの利用側熱源である室内側熱交換器１６へスムーズに均一に通過させることができる。なお、側面部１１ｂに設けられた空気吸込み部１４だけでは吸込み面積が不足する場合は、室内機１０の背面上部に空気吸込み部を別途設けてもよい。
【００５１】
室内側熱交換器１６の前面側には、第１の仕切り板２１が設けられている。また、第１の仕切り板の前面側には、第２の仕切り板２２が設けられている。図２に示すように、第１の仕切り板２１と第２の仕切り板２２とは、略一定の間隔を有して、互いに略平行になるように配置されている。そして、第１の仕切り板２１及び第２の仕切り板２２は、それぞれの上端部が、上部吹出し口１５と接続されている。また、第１の仕切り板２１と第２の仕切り板２２との間に形成される空間は、各仕切り板の下端部において、室内送風機１７の送風口１９と連通するような構成となっている。これにより、室内側熱交換器１６と熱交換された利用流体が、室内送風機１７から上部吹出し口１５へと導かれる流路（流路Ｃ）が形成される。
【００５２】
また、第２の仕切り板２２は、前面パネル１２とも、略一定の間隔を有して、互いに略平行になるように配置されている。そして、第２の仕切り板２２と前面パネル１２との間に形成される空間は、各仕切り板の下端部において、室内送風機１７の送風口１９と連通するような構成となっている。これにより、室内側熱交換器１６と熱交換された利用流体が、第２の仕切り板２２と前面パネル１２との間の空間に導かれ、前面パネル１２に設けられた送出孔１２ａから外部へ送出される流路（流路Ｂ）が形成される。なお、前面パネル１２では、前面パネル１２の裏面（第２の仕切り板２２と対向している面）側が利用流体の流路Ｂとなっている。そのため、例えば、暖房運転時において、室内側熱交換器１６との熱交換で暖められた利用流体が前面パネル１２の裏面に沿って流れることによって、前面パネル１２そのものが暖められる。これにより、空調対象物との接触面となる前面パネル１２の表面は、対象物を接触させて暖めることができる。したがって、本明細書では、前面パネル１２の表面は、接触加熱部とも呼ばれる。
【００５３】
また、図２に示すように、筐体１１の底面部１１ｄに設けられた床面吹出し口１８も、室内送風機１７の送風口１９と連通するような構成となっている。これにより、室内側熱交換器１６と熱交換された利用流体が、室内機１０の底面部１１ｄを沿って導かれ、床面吹出し口１８から外部へ送出される流路（流路Ａ）が形成される。
【００５４】
以上のように、室内機１０においては、室内側熱交換器１６と熱交換された利用流体は、３つの流路（流路Ａ，Ｂ，Ｃ）によって、床面吹出し口１８、前面パネル１２、上部吹出し口１５からそれぞれ外部へ送出される。本実施の形態の室内機１０は、上記のような３つの流路を備えていることで、暖房運転時及び冷房運転時などの運転モードの違いや、空調の目的に応じて、利用流体の吹出し位置を適宜変更することができる。
【００５５】
＜室内機から送出される風の流れについて＞
室内機１０内における風の流れについて説明する。
まず、室内機１０の外部（例えば、空調対象の室内）の空気（利用流体）は、空気吸込み部１４から室内機１０内へ取り込まれる。空気吸込み部１４から室内機１０の内部へ吸い込まれた空気は、図示しないフィルタ等を通過し、熱源である室内側熱交換器１６を通過する。このとき、暖房運転時の場合は、吸い込まれた空気と室内側熱交換器１６との間で熱交換が行われ、空気が暖められる。暖められた空気は、室内送風機１７を通過し、送風口１９を通過する。一方、冷房運転時の場合は、吸い込まれた空気と室内側熱交換器１６との間で熱交換が行われ、空気が冷却される。冷却された空気は、室内送風機１７を通過し、送風口１９を通過する。なお、冷房運転時に室内側熱交換器１６に発生するドレン水は、従来の空気調和機と同様にドレン水を屋外に排出するためのドレン水排出配管を通って、室外へ放出される。あるいは、室内機１０に、ドレン水を貯留するタンクを設けてもよい。
【００５６】
送風口１９を通過した空気は、その後、上述した３つの流路（流路Ａ，Ｂ，Ｃ）のうちの何れかから、室内機１０の外（すなわち、空調対象の室内）へ送出される。これら３つの流路の切り替え方法、及び、各流路からの利用流体の流量の調整方法については、後述する。
【００５７】
図４から９には、空気調和機１の暖房運転時及び冷房運転時に、室内機１０の各流路（流路Ａ，Ｂ，Ｃ）のうちのどの流路を利用して、利用流体を室内へ送出するかの例を示す。図４から図９では、暖房運転時に送出される温風と、冷房運転時に送出される冷風とを、それぞれ異なる種類の矢印で示している。
【００５８】
図４に示す例では、暖房運転時の温風は、前面パネル１２及び床面吹出し口１８から送出される。一方、冷房運転時の冷風は、上部吹出し口１５から送出される。
図５に示す例では、暖房運転時の温風は、前面パネル１２及び床面吹出し口１８から送出される。一方、冷房運転時の冷風は、床面吹出し口１８から送出される。
図６に示す例では、暖房運転時の温風は、前面パネル１２及び床面吹出し口１８から送出される。一方、冷房運転時の冷風は、上部吹出し口１５および前面パネル１２から送出される。
【００５９】
図７に示す例では、暖房運転時の温風及び冷房運転時の冷風はともに、前面パネル１２及び床面吹出し口１８から送出される。
図８には、空気調和機１が暖房機能のみを有する場合の例を示す。図８に示す例では、暖房運転時の温風は、前面パネル１２及び床面吹出し口１８から送出される。
図９には、空気調和機１が暖房機能のみを有する場合の例を示す。図９に示す例では、暖房運転時の温風は、前面パネル１２のみから送出される。
【００６０】
図４から図９に示す利用流体の送出方法は、本発明の一例であり、本発明はこれに限定されるものではない。なお、通常、温かい空気は上昇し、冷たい空気は下降する傾向にある。そのため、温風の吹出しは、床面吹出し口１８などの室内機１０の下側に設けられた送出口から吹出すことが好ましく、冷風の吹出しは、上部吹出し口１５などの室内機１０の上側に設けられた送出口から吹出すことが好ましい。
【００６１】
＜流路及び風量の制御機構について＞
次に、室内機１０において利用流体の各流路をどのように切り替え、かつ、各流路における利用流体の流量をどのように調節するかについて、図１０および図１１を参照しながら説明する。図１０および図１１には、室内機１０の流路Ａ、流路Ｂ、および流路Ｃ周辺の概略的な内部構成を示す。室内機１０の内部には、室内送風機１７の送風口１９側の流路（図中、Ｘで示す）と、各流路（流路Ａ，Ｂ，Ｃ）との間に、流路切り替え部３１（流量調整部）が設けられている。
【００６２】
一例では、流路切り替え部３１は、板状部材３１ａが軸３１ｂを中心にして回転するような構造を有している。図１０などに示す模式図では、軸３１ｂを中心にして回転する板状部材３１ａの端部の軌道を３１ｃで示している。流路切り替え部３１は、流路Ｘが各流路Ａ，Ｂ，Ｃへ分岐する分岐点に配置されている。図１０などに示す例では、板状部材３１ａの端部の回転軌道が、流路Ｘから流路Ａ，Ｂ，Ｃへの分岐点における内径に合致するように、板状部材３１ａの寸法及び分岐点の内径が設定されている。流路切り替え部３１は、上記のような構成を有していることにより、板状部材３１ａの位置を適宜変更することで、流路Ｘから各流路Ａ，Ｂ，Ｃへの流路の切り替えを行うことができるとともに、各流路Ａ，Ｂ，Ｃへ流れる利用流体の風量を調節することができる。
【００６３】
さらに、室内機１０の流路Ｃ内には、流路Ｃ内の開閉を行う流路開閉部３２（第２の流路調整部）が設けられている。図１０に示す例では、流路開閉部３２は、流路切り替え部３１とほぼ同様の形状を有している。但し、流路開閉部３２は、流路Ｃの内径に合わせて、流路切り替え部３１よりも小さな寸法を有している。流路開閉部３２が設けられていることで、流路開閉部３２の板状部材が、流路Ｃの内径を塞ぐように配置されているときは、流路Ｃは閉状態となり、上部吹出し口１５からの利用流体の送出を停止することができる。
【００６４】
図１０には、流路切り替え部３１及び流路開閉部３２の種々の動作状態を示す。図１０では、便宜上、状態ａ〜状態ｅを、暖房運転時における動作状態として示し、状態ｆを、冷房運転時における動作状態として示している。但し、図１０に示す、運転モードと、流路切り替え部３１及び流路開閉部３２の動作状態との関係は、例示的なものであり、冷房運転時に状態ａ〜状態ｅの動作状態とすることも可能であり、暖房運転時に状態ｆの動作状態とすることも可能である。
【００６５】
状態ａは、流路Ａと連結する床面吹出し口１８からのみ利用流体（温風）が送出される場合を示す。流路切り替え部３１を状態ａの位置に固定することで、流路Ｘに対して垂直方向に配置された流路ＢおよびＣには、ほとんど利用流体は流れず、大部分の利用流体が流路Ａへ流れる。したがって、図示される状態ａでは、流路開閉部３２は閉状態となっているが、流路開閉部３２を開状態としてもよい。
【００６６】
状態ｂは、流路Ａと連結する床面吹出し口１８、および、流路Ｂと連結する前面パネル１２の送出孔１２ａから、利用流体（温風）が送出される場合を示す。流路切り替え部３１を状態ｂの位置に固定することで、流路Ｘとほぼ平行な方向の流路Ａと、流路Ｘに対して垂直な方向の流路Ｂ，Ｃとの両方に利用流体を送出することができる。そして、流路開閉部３２は、閉状態となっているため、流路Ｃと連結する上部吹出し口１５からの利用流体の送出を停止することができる。なお、流路切り替え部３１を状態ｂの位置に固定し、流路開閉部３２を開状態とすれば、流路Ａおよび流路Ｂに加えて、流路Ｃにも利用流体を送出することができる。この場合、床面吹出し口１８、前面パネル１２、および、上部吹出し口１５の全てから利用流体が送出される。
【００６７】
状態ｃは、流路Ｂと連結する前面パネル１２のみから利用流体（温風）が送出される場合を示す。流路切り替え部３１を状態ｃの位置に固定することで、流路Ａへの利用流体の流れを遮断することができる。さらに、流路開閉部３２を閉状態とすることで、流路Ｃと連結する上部吹出し口１５からの利用流体の送出を停止することができる。
【００６８】
状態ｄは、流路Ｃと連結する上部吹出し口１５のみから利用流体（温風）が送出される場合を示す。流路切り替え部３１を状態ｄの位置に固定することで、流路Ａおよび流路Ｂへの利用流体の流れを遮断することができる。また、流路開閉部３２を開状態とすることで、流路Ｃと連結する上部吹出し口１５から利用流体が送出される。
【００６９】
状態ｅは、流路Ｂと連結する前面パネル１２、および、流路Ｃと連結する上部吹出し口１５から、利用流体（温風）が送出される場合を示す。流路切り替え部３１を状態ｅの位置に固定し、流路開閉部３２を開状態とすることで、流路Ｂと連結する前面パネル１２、および、流路Ｃと連結する上部吹出し口１５から、利用流体を送出することができる。なお、状態ｅにおける流路切り替え部３１の固定位置は、状態ｃの場合と同じである。
【００７０】
状態ｆは、冷房運転時において、流路Ｂと連結する前面パネル１２のみから利用流体（冷風）が送出される場合を示す。状態ｆにおける、流路切り替え部３１および流路開閉部３２の動作状態は、状態ｃの場合と同じである。
【００７１】
なお、図４から図９に示す、室内機１０からの利用流体の吹出し位置と、図１０に示す、流路切り替え部３１および流路開閉部３２の動作状態との関係をまとめると以下のようになる。
図４に示す室内機１０では、暖房運転時の動作状態が、図１０の状態ｂであり、冷房運転時の動作状態が、図１０の状態ｄである。
図５に示す室内機１０では、暖房運転時の動作状態が、図１０の状態ｂであり、冷房運転時の動作状態が、図１０の状態ａである。
【００７２】
図６に示す室内機１０では、暖房運転時の動作状態が、図１０の状態ｂであり、冷房運転時の動作状態が、図１０の状態ｅである。
図７に示す室内機１０では、暖房運転時及び冷房運転時の動作状態は、いずれも図１０の状態ｂである。
図８に示す暖房機能のみを有する室内機１０では、流路切り替え部３１および流路開閉部３２の動作状態は、図１０の状態ｂである。
図９に示す暖房機能のみを有する室内機１０では、流路切り替え部３１および流路開閉部３２の動作状態は、図１０の状態ｃである。
【００７３】
なお、流路Ａおよび流路Ｂを流れる利用流体の流量は、各流路の圧力損失や出口形状などによって変わり得る。本実施の形態では、上述したように、流路切り替え部３１が、軸３１ｂを中心に回転する板状部材３１ａを備えた構成となっており、板状部材３１ａの位置を変更することで、流路Ｘから各流路Ａ，Ｂへ分岐する箇所における流路の断面積を変更することができる。これにより、流路Ａ，Ｂの圧力損失などが異なる場合にも、流路Ａおよび流路Ｂに流れる利用流体の流量比率を比較的容易に制御することができる。すなわち、流路切り替え部３１は、流量を調整する調整機構としての役割も果たすことができる。
【００７４】
図１１（ａ）および（ｂ）には、流路切り替え部３１を用いて、流路Ａと流路Ｂとに流れる利用流体の流量を調整する方法を示す。図１１（ａ）は、流路Ａに流れる利用流体の流量が、流路Ｂに流れる利用流体の流量よりも多い場合の流路切り替え部３１の状態を示す。図１１（ｂ）は、流路Ｂに流れる利用流体の流量が、流路Ａに流れる利用流体の流量よりも多い場合の流路切り替え部３１の状態を示す。
【００７５】
以上のように、本実施の形態の空気調和機１では、流路切り替え部３１の板状部材３１ａを回転させて位置を変更することで、流路Ａおよび流路Ｂに流れる利用流体の流量を調整することができる。すなわち、上記の構成によれば、複数の流路の流量比率を簡便な機構で容易に制御できる空気調和機１を提供できる。なお、流路開閉部３２も、流路切り替え部３１と同様の形状を有しているため、流路開閉部３２に同様の動作をさせることで、流路Ｃの開閉だけでなく、流路Ｃを流れる利用流体の流量の調整も行うことが可能である。
【００７６】
本実施の形態にかかる室内機１０は、上記のような構成を有することにより、前面パネル１２の表面に設けられた複数の送出孔１２ａから、利用流体（例えば、温風）を送出することができる。これと同時に、本実施の形態にかかる室内機１０では、例えば、暖房運転時において、室内側熱交換器１６との熱交換で暖められた利用流体が前面パネル１２の面に沿って流れることによって、前面パネル１２そのものが暖められる。これにより、空調対象物との接触面となる前面パネル１２の表面は、対象物を接触させて暖めることができる。したがって、本実施の形態にかかる空気調和機１は、温風を放出することによって室内を暖房することに加え、前面パネルを直接触れて採暖することが可能である。
【００７７】
なお、上記のように、人が直接前面パネルに触れて暖を採ることを想定した場合、前面パネル１２の送出孔１２ａから送出される温風は、人が風と感じにくい微風であることが好ましい。すなわち、流路Ｂを介して送出孔１２ａから送出される温風の風速は、流路Ａを介して床面吹出し口１８から送出される温風、および、流路Ｃを介して上部吹出し口１５から送出される温風のうちの少なくとも何れか風速と比較して、低いことが好ましい。このような風速として、例えば、送出孔１２ａから送出される温風の風速０．５ｍ／ｓ以下とすることが好ましい。このような風速とすることで、前面パネルの近傍で暖を採っている使用者の体感上の不快感を抑えたり、使用者の肌の乾燥を抑えたりすることができる。なお、前面パネル１２から微風を吹き出す構成としては、本実施の形態のような複数の小さな送出孔１２ａには限定されず、例えば、後述の第２の実施形態のような他の構成を採用することも可能である。
【００７８】
また、本実施の形態にかかる空気調和機１においては、前面パネル１２の温度は、４５℃以下に制御されることが好ましい。この温度は、一般的な給湯器のお湯張り温度の最高温度（４２℃〜４３℃）を参考にしている。前面パネル１２の温度を４５℃以下に制御すれば、人が前面パネル１２に直接触れて暖を採る際に、すぐにやけどすることなく安全に使用することができる。さらに好ましくは、前面パネル１２の温度を人の体温に近い４０℃以下とする。これによれば、前面パネル１２の温度が４２℃〜４３℃の場合に比べ、人が前面パネル１２に直接触れて暖を採る際に、より安全に使用することができる。
【００７９】
例えば、特許文献１に開示されている温水暖房機のように、前面パネルに直接温水の配管を接触させ、伝熱させると、配管温度が６０℃程度と比較的高いため、前面パネルに人が触ると低温やけどをする危険性がある。そこで、特許文献１に開示の温水暖房機では、前面パネルに温水流入管を接触させて、伝熱させることができない。そして、特許文献１に開示の温水暖房機では、人が温水流入管との接触面を直接触れないように、前面パネルの裏面に放熱させるための放射板が別途設置されている。このように、特許文献１に開示の温水暖房機では、低温やけどの危険性のため、前面パネルに人が直接触って採暖することは考慮されていない。また、放射板を別途設置することは、室内機の奥行き寸法の増大化や構造の複雑化、材料費が上がることにもつながる。
【００８０】
これに対して、本実施の形態の空気調和機１では、人が前面パネル１２に直接触れて暖を採る際に、すぐにやけどすることなく安全に使用することができる。なお、本実施の形態の空気調和機１においては、使用する冷媒をＨＦＣ系のＲ４１０ＡやＲ３２等とし、ヒートポンプサイクルで放出できる温風の温度を６０℃程度に制御することで、前面パネル１２の温度を約４０℃にすることができる。また、これ以外にも、前面パネル１２の近傍に温度センサを設置し、ここで検出された温度に基づいて、空気調和機１の出力をフィードバック制御し、前面パネル１２の温度制御を行ってもよい。
【００８１】
例えば、使用者が比較的短時間で暖まることを望む場合には、前面パネル１２の温度を４０℃程度に保持し、長時間使用者が直接接触している場合は、低温やけどを防ぐために、前面パネル１２の温度を体温以下の温度に制御することが好ましい。
【００８２】
また、本実施の形態にかかる空気調和機１によれば、従来の空気調和機のように、吹出される利用流体によって部屋の空気の温度を制御する空調機能に加え、室内機の前面パネル近傍の暖められた空気や温かい前面パネル１２自体を触って暖を採ることができる。
【００８３】
また、特許文献１に開示された温水暖房機では、前面パネルの穴から温風を出す場合は、床面からの温風の吹出しはない。つまり、特許文献１に開示された温水暖房機では、前面パネルと床面から同時に温風が出されることはなく、どちらか一方に限られている。そのため、前面パネルの穴から温風を出した場合、前面パネル付近の空気のみが暖められ、温水暖房機から離れた位置の室温は低下し、室内での温度差が大きくなり場所により快適性が低下する場合がある。
【００８４】
この点、本実施の形態の空気調和機１によれば、複数の流路（流路Ａ，Ｂ，Ｃ）、流路切り替え部３１、および、流路開閉部３２を用いて、複数の送出口から利用流体を吹き出すことが可能である。例えば、前面パネル１２と床面吹出し口１８から同時に利用流体を送出することにより、空気調和機１の近傍にいる人は、前面パネル１２から放出される流用流体及び熱によって暖を採ることができる。これと同時に、床面吹出し口１８によって室内全体の空気を循環することで室内の温度差を小さくすることができる。したがって、本実施の形態によれば、より快適な暖房装置を提供することができる。
【００８５】
なお、前面パネル１２から吹出される温風の主たる目的が、部屋全体の空調ではなく、室内機１０の近くにいる使用者の採暖である場合、前面パネル１２の表面（接触面）が床面に対して少し斜めに傾いていることが好ましい。前面パネル１２の表面が傾斜していることで、使用者が前面パネル１２に手で触れやすく、また、背中で寄りかかりやすくなる。
【００８６】
＜第２の実施形態＞
第２の実施形態では、第１の実施形態とは異なる方法で、前面パネルからの温風の吹出しを行う空気調和機について説明する。図１２（ａ）には、第２の実施形態にかかる空気調和機の室内機１００の外観の概略構成を示す。本第２の実施形態にかかる空気調和機は、前面パネル部分の構成のみが、第１の実施形態にかかる空気調和機１とは異なっている。第２の実施形態において、空気調和機の内部構成などのその他の構成については、基本的に第１の実施形態の空気調和機１と同じ構成を適用することができる。そこで、本第２の実施形態では、第１の実施形態とは異なる部分のみを説明する。
【００８７】
図１２（ａ）に示すように、本実施形態の室内機１００は、筐体１０１によってその外形が形成されている。筐体１０１は、主に、前面部１０１ａ、側面部１０１ｂ、上面部１０１ｃ、背面部（図示せず）、底面部（図示せず）で構成されている。ここで、筐体１０１の前面部１０１ａとは、室内熱交換器（熱源）との間で熱交換が行われた利用流体が外部へ送出される送出口１１２ａが設けられている面である。すなわち、前面部１０１ａは、室内機１０を通常の使用時の状態で設置した場合に、空調を行う対象と主に面している側である。
【００８８】
図１２（ａ）に示すように、前面部１０１ａは、主に、前面パネル部１０２と、その周囲に設けられた外枠部１０３とで構成されている。図１２（ｂ）には、（ａ）に示す室内機１００の前面部側の断面構成を概略的に示す。図１２（ｂ）に示すように、外枠部１０３は、前面パネル１０２の外側表面（対象物との接触面）から前側に突出するように配置されている。そして、図１２（ａ）および（ｂ）に示すように、前面パネル１０２と外枠部１０３との間には、外枠部１０３の枠形状に沿って、スペーサ部材１０４が複数設けられている。スペーサ部材１０４が設けられていることによって、前面パネル１０２の外側表面と、外枠部１０３との間には、一定の間隔の隙間が形成される。本実施の形態の室内機１００においては、この隙間が、利用流体（例えば、温風）が外部へ送出される送出口１１２ａとなっている。
【００８９】
図１２（ｂ）には、利用流体が、前面パネル１０２の裏面側の端部から表面側へ回り込み、表面に沿って外部へ送出される様子を矢印で示している。図１２（ｂ）に示すように、室内機の内部から前面パネル１０２の方へ送出された利用流体は、前面パネル１０２の端部と、外枠部１０３との間に設けられた送出口１１２ａから、前面パネル１０２の外側表面に沿って外部へ送出される。このように外枠部１０３と前面パネル１０２との間から、前面パネル１０２の外側表面に沿って送出された利用流体は、前面パネル１０２の中心部に集まり、互いにぶつかり合った結果、前面パネル１０２の外側表面にほぼ垂直な方向に一様な乱流を発生させることができる。
【００９０】
本第２の実施形態にかかる室内機１００は、上記のような構成により、前面パネル１０２の表面のほぼ全体から一様に利用流体を送出することができる。また、例えば、暖房運転時には、前面パネル１０２の裏面に沿って温風が流れる。これにより、前面パネル１０２自体が暖められるため、使用者は前面パネル１０２の外側表面に直接体の一部を当てて暖を採ることができる。なお、前面パネル１０２の裏面に利用流体を流す経路については、例えば、第１の実施形態で説明したような流路Ｂを採用する場合には、前面パネル１０２の下部からの送風に加え、上部や左右からの送風も可能な送風機構を組み合わせる構成を採用してもよい。また、他の構成を採用してもよく、例えば、図１２（ｂ）に示すように、前面パネル１０２の裏面に対して垂直方向に利用流体を送風する送風機構を設けてもよい。
【００９１】
＜第３の実施形態＞
上述した第１および第２の実施形態は、ヒートポンプ方式によって暖房運転および冷房運転を行う空気調和機について説明した。しかし、本発明は、ヒートポンプ方式とは異なる方法で熱エネルギーを得る暖房機にも適用可能である。第３の実施形態では、このような暖房機の一例として、石油を燃料とした石油ファンヒーターを例に挙げて説明する。
【００９２】
図１３には、本実施の形態にかかる暖房機（石油ファンヒーター）１１０の内部の概略構成を示す。暖房機１１０は床置き式となっている。図示しない燃料タンクに保持された燃料（石油）を燃焼室１１６（熱源）で燃焼させ、これによって熱エネルギーを得ている。得られた熱エネルギーは、燃焼室１１６の背面側に設けられたファン（送風機）１１７によって循環される空気（利用流体）によって奪われる。これにより、利用流体は暖められて温風となり、所定の経路を経て、暖房機１１０の外へ送出される。
【００９３】
図１３に示すように、暖房機１１０は、筐体１１１によってその外形が形成されている。筐体１１１は、主に、前面部１１１ａ、側面部１１１ｂ、上面部１１１ｃ、底面部１１１ｄ、および、背面部１１１ｅで構成されている。ここで、筐体１１１の前面部１１１ａとは、燃焼室１１６との間で熱交換が行われた利用流体が外部へ送出される送出口（本実施形態では、送出孔）が設けられている面である。すなわち、前面部１１１ａは、暖房機１１０を通常の使用時の状態で設置した場合に、暖房を行う対象と主に面している側である。この前面部１１１ａを基準として、その背面側に位置する面が背面部１１１ｅであり、前面部１１１ａと背面部１１１ｅとの間に位置し、筐体１１１の側方を構成している面が側面部１１１ｂである。また、上面部１１１ｃは、暖房機１１０を通常の使用時の状態で設置した場合に上側に位置する面である。底面部１１１ｄは、暖房機１１０を通常の使用時の状態で設置した場合に、設置面（床面）と対向する面である。
【００９４】
筐体１１１の前面部１１１ａには、前面パネル（パネル）１１２が設置されている。図１３には示されていないが、前面パネル１１２には、利用流体が送出される送出孔が複数形成されている。第１の実施形態と同様に、送出孔は、前面パネル１１２上に、小さな円形状の穴の形態で、縦横に等間隔で複数個配列されている。
【００９５】
筐体１１１の側面部１１１ｂには、空気吸込み部１１４が設けられている。暖房機１１０の運転時に、利用流体である室内の空気は、この空気吸込み部１１４を介して、筐体１１１内に取り込まれ、暖房機１１０内に設けられた燃焼室１１６において暖められる。
【００９６】
筐体１１１の上面部１１１ｃには、上部吹出し口１１５が設けられている。暖房機１１０は、この上部吹出し口１１５を介して、燃焼室１１６で暖められた利用流体を暖房機１１０の鉛直上方向に送出することができる。
【００９７】
筐体１１１の底面部１１１ｄは、側面部１１１ｂの下端部よりも高い位置に設けられており、底面部１１１ｄと床面との間には、空間が形成されている。そして、筐体１１１の底面部１１１ｄには、床面吹出し口（吹出し口）１１８が設けられている。このような構成により、暖房機１１０は、床面吹出し口１１８を介して、燃焼室１１６で暖められた利用流体を、暖房機１１０が設置されている床面に沿うように送出することができる。
【００９８】
暖房機１１０内において、燃焼室１１６の前面側には、第１の仕切り板１２１が設けられている。また、第１の仕切り板の前面側には、第２の仕切り板１２２が設けられている。図１３に示すように、第１の仕切り板１２１と第２の仕切り板１２２とは、略一定の間隔を有して、互いに略平行になるように配置されている。そして、第１の仕切り板１２１及び第２の仕切り板１２２は、それぞれの上端部が、上部吹出し口１１５と接続されている。また、第１の仕切り板１２１と第２の仕切り板１２２との間に形成される空間は、各仕切り板の下端部付近において、燃焼室１１６の送出口１１９と連通するような構成となっている。これにより、燃焼室１１６で暖められた利用流体が、矢印Ｘから矢印Ｃで示すように、燃焼室１１６から送出口１１９を経て、上部吹出し口１１５へと導かれる流路（流路Ｃ）が形成される。
【００９９】
また、第２の仕切り板１２２は、前面パネル１１２とも、略一定の間隔を有して、互いに平行になるように配置されている。そして、第２の仕切り板１２２と前面パネル１１２との間に形成される空間は、各仕切り板の下端部付近において、燃焼室１１６の送出口１１９と連通するような構成となっている。これにより、燃焼室１１６で暖められた利用流体が、矢印Ｘから矢印Ｂで示すように、燃焼室１１６から送出口１１９を経て、第２の仕切り板１２２と前面パネル１１２との間の空間に導かれ、前面パネル１１２に設けられた送出孔から外部へ送出される流路（流路Ｂ）が形成される。
【０１００】
なお、前面パネル１１２では、前面パネル１１２の裏面（第２の仕切り板１２２と対向している面）側が利用流体の流路Ｂとなっている。そのため、例えば、暖房機１１０の運転時において、燃焼室１１６で暖められた利用流体が前面パネル１１２の面に沿って流れることによって、前面パネル１１２そのものが暖められる。これにより、暖房対象物との接触面となる前面パネル１１２の表面は、対象物を接触させて暖めることができる。したがって、本明細書では、前面パネル１１２の表面は、接触加熱部と呼ばれる。
【０１０１】
また、図１３に示すように、筐体１１１の底面部１１１ｄに設けられた床面吹出し口１１８も、燃焼室１１６の送出口１１９と連通するような構成となっている。これにより、燃焼室１１６で暖められた利用流体が、暖房機１１０の底面部１１１ｄを沿って導かれ、床面吹出し口１１８から外部へ送出される流路（流路Ａ）が形成される。
【０１０２】
以上のように、暖房機１１０においては、熱源で暖められた利用流体は、３つの流路（流路Ａ，Ｂ，Ｃ）によって、床面吹出し口１１８、前面パネル１１２、上部吹出し口１１５からそれぞれ外部へ送出される。本実施の形態の暖房機１１０は、上記のような３つの流路を備えていることで、暖房の目的に応じて、利用流体の吹出し位置を適宜変更することができる。
【０１０３】
なお、第３の実施形態では、燃料の燃焼を熱源として利用する暖房機を例に挙げて説明した。しかし、本発明では、暖房機の熱源として、燃料の燃焼以外の種々の熱源を採用してもよい。このような熱源としては、例えば、電熱（ヒーター）が挙げられる。
さらに、本発明の空気調和機としては、電熱（ヒーター）とヒートポンプとを組み合わせた、いわゆるハイブリッド空気調和機を採用してもよい。図１４には、本発明の一例のハイブリッド空気調和機２００の構成を示す。
【０１０４】
図１４に示すように、ハイブリッド空気調和機２００は、主に、室内機２１０、室外機２５０を含む。室内機２１０と室外機２５０とは、冷媒配管２６０を介して連結されている。室内機２１０は、主に、制御部２１１と、本体パネル２１２と、スピーカ２１３と、サーミスタ２１４と、赤外線通信部２１５と、ヒートポンプ室内部２１６と、ハイパワー暖房部２１８とを含む。本実施の形態にかかる室内機２１０は、本体パネル２１２の操作部により操作される。室内機２１０は、ヒートポンプなどを利用する第１の空気調和機構を制御する通常運転モード、あるいは電熱や燃料の燃焼などを利用する第２の空気調和機構を制御するハイパワー運転モードで運転される。
【０１０５】
制御部２１１は、プロセッサ２２１とメモリ２２２とを含む。本体パネル２１２は、入出力部である。スピーカ２１３は、プロセッサ２２１からの信号に基づいて、メッセージなどの音声を出力する。赤外線通信部２１５は、リモートコントローラ（図示せず）などからの信号を受信して、受信データをプロセッサ２２１に受け渡す。サーミスタ２１４は、室内の温度やヒートポンプ室内部２１６の各部の温度や、ハイパワー暖房部２１８の各部の温度などを検知して、当該検知結果をプロセッサ２２１に受け渡す。
【０１０６】
ヒートポンプ室内部２１６は、プロセッサ２２１または他のコンピュータに制御される。本実施の形態においては、ヒートポンプ室内部２１６は、室外機２５０のヒートポンプ室外部２５１と共に、冷媒を利用することによって、暖房および冷房の通常運転を実行する。すなわち、ヒートポンプ室内部２１６とヒートポンプ室外部２５１とは、第１の空気調和機構を実現する。ヒートポンプ室内部２１６及びヒートポンプ室外部２５１は、本発明の熱源に相当する。
【０１０７】
また、ハイパワー暖房部２１８は、たとえば、電熱あるいは燃料の燃焼を熱源とする暖房手段であり、第１の空気調和機構とは異なる方式の第２の空気調和機構を実現する。ハイパワー暖房部２１８も、プロセッサ２２１または他のコンピュータに制御される。ハイパワー暖房部２１８も、本発明の熱源に相当する。
【０１０８】
以上のように、ハイブリッド空気調和機２００は、２つの熱源（すなわち、ヒートポンプ室内部２１６及びヒートポンプ室外部２５１と、ハイパワー暖房部２１８）を組み合わせて暖房運転を行う。このようなハイブリッド空気調和機２００においては、例えば、第１の実施形態と同様の室内機の構成を採用して、利用流体の流路及び風量を制御することができる。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１０】
１        ：空気調和機（空気調和機・暖房機）
１０      ：室内機
１２      ：前面パネル（パネル）
１２ａ    ：送出孔（送出口）
１５      ：上部吹出し口
１６      ：室内熱交換器（室内側熱交換器）
１７      ：室内送風機（送風機）
１８      ：床面吹出し口（吹出し口）
３１      ：流路切り替え部（流量調整部）
３２      ：流路開閉部（第２の流量調整部）
１００    ：室内機
１０２    ：前面パネル（パネル）
１０３    ：外枠部
１０４    ：スペーサ部材
１１０    ：暖房機
１１２    ：前面パネル（パネル）
１１２ａ  ：送出口
１１５    ：上部吹出し口
１１６    ：燃焼室（熱源）
１１８    ：床面吹出し口（吹出し口）
１１９    ：送出口
２００    ：ハイブリッド空気調和機
Ａ        ：流路
Ｂ        ：流路
Ｃ        ：流路
【図１】
2016099030.tif 000003
【図２】
2016099030.tif 000004
【図３】
2016099030.tif 000005
【図４】
2016099030.tif 000006
【図５】
2016099030.tif 000007
【図６】
2016099030.tif 000008
【図７】
2016099030.tif 000009
【図８】
2016099030.tif 000010
【図９】
2016099030.tif 000011
【図１０】
2016099030.tif 000012
【図１１】
2016099030.tif 000013
【図１２】
2016099030.tif 000014
【図１３】
2016099030.tif 000015
【図１４】
2016099030.tif 000016